(57)【特許請求の範囲】
【請求項１】
鋼管矢板の隣合う１対の鋼管を接続する継手であって、該１対の鋼管の対向面側において一方の鋼管には該鋼管に沿って延長するＣＴ形鋼が固定され、他方の鋼管にはＣＴ形鋼挿入溝が長手方向に形成されたパイプが該鋼管に沿って延長するようにして固定され、該ＣＴ形鋼が該パイプ内に収容されてなる継手において、ゴム・合成樹脂等の弾性体からなり、該パイプの内径よりも大きい幅を有し、一方の側面に長手方向に延長する複数条の止水用突条を備える止水板を、該複数条の止水用突条を該ＣＴ形鋼の外側の面に当接させるとともに該止水板の幅方向両端部を該突条が設けられた側と反対側に挿入に支障のない程度の反撥力で折り曲げるようにし該パイプ内に挿入することにより、該折り曲げられた両端部に作用する反撥力により該両端部を該パイプの内周面に圧接させたことを特徴とする鋼管矢板の継手。
【請求項２】
２条の該止水用突条の間の止水板の面に該突条の高さよりも僅かに小さい厚みを有する水膨張ゴムを接着したことを特徴とする請求項１記載の鋼管矢板の継手。
【請求項３】
鋼管矢板の隣合う１対の鋼管を接続する継手であって、該１対の鋼管の対向面側において一方の鋼管には該鋼管に沿って延長するＣＴ形鋼が固定され、他方の鋼管にはＣＴ形鋼挿入溝が長手方向に形成されたパイプが該鋼管に沿って延長するようにして固定され、該ＣＴ形鋼が該パイプ内に収容されてなる継手の施工法において、ゴム・合成樹脂等の弾性体からなり、該パイプの内径よりも大きい幅を有し、一方の側面に長手方向に延長する複数条の止水用突条を備える止水板を、該複数条の止水用突条を該ＣＴ形鋼の外側の面に当接させるとともに該止水板の幅方向両端部を該突条が設けられた側と反対側に挿入に支障のない程度の反撥力で折り曲げるようにして該両端部を該パイプ内に挿入することにより、該折り曲げられた両端部に作用する反撥力により該両端部を該パイプの内周面に圧接させることを特徴とする鋼管矢板の継手の施工法。
【請求項４】
該隣合う１対の鋼管を打設した後、該止水板を該パイプ内に挿入し、次いで該止水板の該突条が形成された面と反対側の面と該止水板の幅方向両端の間の該パイプの内周面との間に画成される空間内にコンクリート等の充填材を充填することを特徴とする請求項３記載の鋼管矢板の継手の施工法。
【請求項５】
該止水板の少なくとも下端部に錘を取付けたことを特徴とする請求項４記載の鋼管矢板の継手の施工法。
【請求項６】
該一方の鋼管に固定されたＣＴ形鋼の外側の面に該複数の突条が当接するようにして該止水板を該ＣＴ形鋼の下端部のみに固定し、該パイプが固定された鋼管を打設した後該ＣＴ形鋼を該パイプ内に止水板とともに引き込んで収容するようにして該ＣＴ形鋼が固定された鋼管を打設することを特徴とする請求項３記載の鋼管矢板の継手の施工法。
【請求項７】
鋼管矢板の隣合う１対の鋼管を接続する継手であって、該１対の鋼管の対向面側において一方の鋼管には該鋼管に沿って延長するＣＴ形鋼が固定され、他方の鋼管にはＣＴ形鋼挿入溝が長手方向に形成されたパイプが該鋼管に沿って延長するようにして固定され、該ＣＴ形鋼が該パイプ内に収容されてなる継手の該パイプ内に挿入される止水板であって、ゴム・合成樹脂等の弾性体からなり、該パイプの内径よりも大きい幅を有し、一方の側面に該ＣＴ形鋼の外側の面に当接させるための長手方向に延長する複数条の止水用突条を備えることを特徴とする鋼管矢板の継手用止水板。
【請求項８】
該止水板の両端部は該止水用突条が設けられた側と反対側に傾斜しており、該両端部をさらに内側に折り曲げることによって生じる反撥力を調節するための１または複数の曲げ反撥力調節溝が長手方向に延長するようにして形成されていることを特徴とする請求項７記載の鋼管矢板の継手用止水板。
【請求項９】
該止水板の両端部は該止水用突条が設けられた側と反対側に傾斜しており、該両端部をさらに内側に折り曲げることによって生じる反撥力を調節するため両端に向けて厚みが漸減するテーパ状に形成されていることを特徴とする請求項７記載の鋼管矢板の継手用止水板。
【発明の詳細な説明】
【０００１】
【発明の属する技術分野】
本発明は、鋼管矢板の継手に関し、特にＣＴ形鋼とパイプを組合せた型の鋼管矢板の継手の改良に関する。
【０００２】
【従来の技術】
従来埋立地の護岸壁、防波堤等を構築するために、複数本の鋼管を並列に連続して打設することにより構成する鋼管矢板が使用されている。鋼管矢板の隣合う鋼管を相互に接続する継手として、図２の平面図に示すように、隣合う１対の鋼管Ａ，Ｂの対向面側において一方の鋼管Ｂには該鋼管に沿って延長するＣＴ形鋼ａが溶接固定され、他方の鋼管ＡにはＣＴ形鋼挿入溝ｃが長手方向に形成されたパイプｂが該鋼管Ａに沿って延長するようにして溶接固定され、ＣＴ形鋼ａがパイプｂ内に収容されてなる型のものがある。この継手のパイプｂ内にコンクリートｄを流し込むことにより、ＣＴ形鋼ａをパイプｂに対し固定するとともに鋼管Ａ，Ｂ間を遮水する。
【０００３】
【発明が解決しようとする課題】
この継手においては、コンクリート凝固後の温度変化や地震や地盤の不等沈下等の外力による隣合う両鋼管の相対的変位によりコンクリートにヒビ割れｅが生じ、このヒビ割れeを伝って埋立地側の有害な廃棄物浸出水が海側に流出するという問題を生じる。また、生コンクリート充填時に、ＣＴ形鋼挿入溝ｃから生コンクリートからの汚濁水が流出するという問題がある。
【０００４】
本発明は、上記従来の鋼管矢板の継手の問題点にかんがみなされたものであって、継手のパイプ内に充填されるコンクリートのヒビ割れから生じる廃棄物浸出水の漏出や生コンクリート充填の際の汚濁水の流出を防止することができる継手およびその施工法を提供しようとするものである。
【０００５】
【課題を解決する手段】
上記目的を達成する本発明の鋼管矢板の継手は、鋼管矢板の隣合う１対の鋼管を接続する継手であって、該１対の鋼管の対向面側において一方の鋼管には該鋼管に沿って延長するＣＴ形鋼が固定され、他方の鋼管にはＣＴ形鋼挿入溝が長手方向に形成されたパイプが該鋼管に沿って延長するようにして固定され、該ＣＴ形鋼が該パイプ内に収容されてなる継手において、ゴム・合成樹脂等の弾性体からなり、該パイプの内径よりも大きい幅を有し、一方の側面に長手方向に延長する複数条の止水用突条を備える止水板を、該複数条の止水用突条を該ＣＴ形鋼の外側の面に当接させるとともに該止水板の幅方向両端部を該突条が設けられた側と反対側に挿入に支障のない程度の反撥力で折り曲げるようにして該パイプ内に挿入することにより、該折り曲げられた両端部に作用する反撥力により該両端部を該パイプの内周面に圧接させたことを特徴とするものである。
【０００６】
本発明の一側面においては、２条の該止水用突条の間の止水板の面に該突条の高さよりも僅かに小さい厚みを有する水膨張ゴムを接着する。
【０００７】
本発明の一側面においては、鋼管矢板の隣合う１対の鋼管を接続する継手であって、該１対の鋼管の対向面側の一方の鋼管には該鋼管に沿って延長するＣＴ形鋼が固定され、他方の鋼管にはＣＴ形鋼挿入溝が長手方向に形成されたパイプが該鋼管に沿って延長するようにして固定され、該ＣＴ形鋼が該パイプ内に収容されてなる継手の施工法において、ゴム・合成樹脂等の弾性体からなり、該パイプの内径よりも大きい幅を有し、一方の側面に長手方向に延長する複数条の止水用突条を備える止水板を、該複数条の止水用突条を該ＣＴ形鋼の外側の面に当接させるとともに該止水板の幅方向両端部を該突条が設けられた側と反対側に挿入に支障のない程度の反撥力で折り曲げるようにして該パイプ内に挿入することにより、該折り曲げられた両端部に作用する反撥力により該両端部を該パイプの内周面に圧接させたことを特徴とする鋼管矢板の継手の施工法が提供される。
【０００８】
該施工法の１態様は、該隣合う１対の鋼管を打設した後、該止水板を該パイプ内に挿入し、次いで該止水板の該突条が形成された面と反対側の面と該止水板の幅方向両端の間の該パイプの内周面との間に画成される空間内にコンクリート等の充填材を充填することを特徴とする。
【０００９】
該施工法の他の態様は、該一方の鋼管に固定されたＣＴ形鋼の外側の面に該複数の突条が当接するようにして該止水板を該ＣＴ形鋼の下端部にのみ固定し、該パイプが固定された鋼管を打設した後該ＣＴ形鋼を該パイプ内に止水板とともに引き込んで収容するようにして該ＣＴ形鋼が固定された鋼管を打設することを特徴とする。
【００１０】
また、本発明の他の側面においては、鋼管矢板の隣合う１対の鋼管を接続する継手であって、該１対の鋼管の対向面側において一方の鋼管には該鋼管に沿って延長するＣＴ形鋼が固定され、他方の鋼管にはＣＴ形鋼挿入溝が長手方向に形成されたパイプが該鋼管に沿って延長するようにして固定され、該ＣＴ形鋼が該パイプ内に収容されてなる継手の該パイプ内に挿入される止水板であって、ゴム・合成樹脂等の弾性体からなり、該パイプの内径よりも大きい幅を有し、一方の側面に該ＣＴ形鋼の外側の面に当接させるための長手方向に延長する複数条の止水用突条を備えることを特徴とする鋼管矢板の継手用止水板が提供される。
【００１１】
本発明の一側面においては、該止水板の両端部は該止水用突条が設けられた側と反対側に傾斜しており、該両端部をさらに内側に折り曲げることによって生じる反撥力を調節するための１または複数の曲げ反撥力調節溝が長手方向に延長するようにして形成されていることを特徴とする鋼管矢板の継手用止水板が提供される。
【００１２】
本発明の一側面においては、該止水板の両端部は該止水用突条が設けられた側と反対側に傾斜しており、該両端部をさらに内側に折り曲げることによって生じる反撥力を調節するため両端に向けて厚みが漸減するテーパ状に形成されていることを特徴とする鋼管矢板の継手用止水板が提供される。
【００１３】
【作用】
本発明によれば、止水板の複数条の止水用突条をＣＴ形鋼の外側の面に当接させるとともに止水板の幅方向両端部を該突条が設けられた側と反対側に折り曲げるようにしてパイプ内に挿入することにより、折り曲げられた両端部に作用する反撥力により両端部をパイプの内周面に圧接させるとともに該複数の突条を該ＣＴ形鋼の外側の面に圧接させ、これによって止水用突条とＣＴ形鋼の外側の面との間、および止水板の幅方向両端部とパイプ内周面との間において止水が行なわれる。したがって、止水板の下端部をＣＴ形鋼にボルト止め等により固定することにより止水板の折り曲げられた両端部に作用する反撥力が充分に強くても止水板をパイプ内に挿入することが可能なように設計すれば、パイプ内にコンクリート等の充填材を充填する必要はなく、また、止水板の突条をＣＴ形鋼に対しより強く圧接するために充填材を充填する場合でも、止水板の突条が設けられた面と反対側だけのパイプ内に充填材を充填すれば足りるので、パイプのＣＴ形鋼挿入溝から生コンクリートの汚濁水が流出するおそれがなく、また充填したコンクリートに後日ヒビ割れが生じたとしても、このヒビ割れを伝って廃棄物浸出水が海側に流出するおそれもない。
【００１４】
また、本発明の１施工法においては、止水板のＣＴ形鋼の突条が形成された面と反対側の面と止水板の幅方向両端の間のパイプの内周面との間に画成される空間内にコンクリート等の充填材を充填することにより、止水板の突条がＣＴ形鋼の外側の面に対しより強く圧接され、止水機能を向上することができる。
【００１５】
また、本発明の他の施工法においては、一方の鋼管に固定されたＣＴ形鋼の外側の面に複数の突条が当接するようにして止水板をＣＴ形鋼に固定し、パイプが固定された鋼管を打設した後、ＣＴ形鋼がパイプ内に収容されるようにしてＣＴ形鋼が固定された鋼管を打設することにより、止水板の突条はＣＴ形鋼の外側の面に対し強く圧接され、充分に止水機能を発揮するので、鋼管打設後にコンクリート等の充填材を充填する必要がない。したがって、隣合う鋼管が相対変位する場合に止水を損なうことなく両鋼管間の間隙の変化により大きく追随することができる。
【００１６】
【発明の実施の形態】
以下添付図面を参照して本発明の実施の態様について説明する。
【００１７】
図１および図３は本発明に係る鋼管矢板の継手の１実施態様を示すもので、図１はその概略を示す平面図、図３は止水板をその両端部を折り曲げない状態で示す拡大平面図である。
【００１８】
鋼管矢板の隣合う１対の鋼管Ａ，Ｂを接続する継手１において、該１対の鋼管Ａ，Ｂの対向面側において一方の鋼管Ｂには該鋼管に沿って延長するＣＴ形鋼２が基部２ａの端部において溶接固定され、他方の鋼管ＡにはＣＴ形鋼挿入溝４が長手方向に形成されたパイプ３が、該ＣＴ形鋼挿入溝４が鋼管Ｂに面するようにして、鋼管Ａに沿って延長するように配置されて溶接固定され、ＣＴ形鋼２はその基部２ａがＣＴ形鋼挿入溝４に挿入された状態でパイプ３内に収容されている。
【００１９】
止水板５は、ゴム・合成樹脂等の弾性体からなり、鋼管Ａ，Ｂ中、止水が必要な部分の長さに相当する長さと、パイプ３の内径よりも所定の寸法だけ大きい幅を有し、一方の側面に長手方向に延長する複数条（図示の例では２条）の止水用突条６を備えている。止水板５は，これら複数条の止水用突条６がＣＴ形鋼２の外側の面２ｂに当接するとともに止水板５の幅方向両端部５ａが突条６が設けられた側と反対側に折り曲げられてパイプ３内に挿入されており、折り曲げられた両端部５ａに作用する反撥力により両端部５ａがパイプ３の内周面に圧接されるとともに、突条６がＣＴ形鋼２の外側の面２ｂに圧接されている。
【００２０】
図示の実施形態において、止水板５の両端部５ａは、図３に示すように、複数の突条６が設けられた中央部５ｂと同じ厚みを有し、中央部５ｂの両端から突条６が設けられた側と反対側に約６０度傾斜している。両端部５ａの中央部の内側には、両端部５ａをさらに内側に折り曲げることによって生じる反撥力をパイプ３内への挿入に支障のない程度の所望の値に調整するための曲げ反撥力調節溝５ｃが長手方向に延長するようにして設定されている。
【００２１】
２条の突条６の間の止水板５の面には、止水板５の止水機能をさらに高めるため水膨張ゴム７が接着されている。この水膨張ゴム７の厚みは止水用突条６の高さよりも僅かに小さい値に形成されている。
【００２２】
この継手１を施工するには、まず鋼管Ａを打設した後、鋼管Ｂを、ＣＴ形鋼２の基部２ａがパイプ３のＣＴ形鋼挿入溝４に挿入されるようにして吊降すことによってＣＴ形鋼２がパイプ３内に収容される状態で打設する。次に、止水板５を、複数条の止水用突条６がＣＴ形鋼２の外側の面２ｂに当接するようにして、かつ止水板５の幅方向両端部５ａを曲げ反撥力調節溝５が形成された部分において図３の状態から内側に折り曲げるようにして該両端部を該パイプ内に押し込み挿入する。次いで止水板５の突条６が形成された面と反対側の面５ｄと止水板５の幅方向両端５ｅ（図３）の間のパイプ３の内周面との間に画成される空間内にコンクリート、砂、アスフアルト等の充填材８を充填し、養生することにより施工を完了する。この実施形態においては、止水板５の押し込みが容易なように曲げ反撥力調節溝５ｃの深さを調節して曲げ反撥力を調節することにより、施工を簡単で容易にすることができる。この場合曲げ反撥力の弱さは充填材の充填により補うことができる。
【００２３】
次に、この継手の動作について説明する。
【００２４】
施工時において、充填材としてコンクリートを充填する場合に、コンクリートは止水板５の突条６が形成された面と反対側の面５ｄと止水板５の幅方向両端５ｅの間のパイプ３の内周面との間に画成される空間内にのみ充填され、パイプ３のＣＴ形鋼挿入溝４側には充填されないので、生コンクリートがＣＴ形鋼挿入溝４とＣＴ形鋼２の基部２ａの間の隙間から流出することはない。
【００２５】
施工後においては、止水板５の折り曲げられた両端部５ａに作用する反撥力により両端部５ａがパイプ３の内周面に圧接されるとともに複数の突条６がＣＴ形鋼２の外側の面２ｂに圧接され、これによって突条６とＣＴ形鋼２の外側の面２ｂとの間、および止水板５の幅方向両端部５ａとパイプ３の内周面との間において止水が行なわれる。充填材８はその押圧力により止水板５の両端部５ａをパイプ３の内周面に対しいっそう強く圧接するとともに、突条６をＣＴ形鋼２の外側の面２ｂに対しいっそう強く圧接する。
【００２６】
また、施工後の鋼管Ａ，Ｂ間の相対変位により充填材８のコンクリートにヒビ割れが生じたとしても、止水板５の両端部５ａおよび突条６における止水は損なわれないので、このヒビ割れを伝って廃棄物浸出水が埋立地側から海側に流出するおそれもない。
【００２７】
また、鋼管Ａ，Ｂ間の相対変位に対しては、止水板５の突条６および水膨張ゴム７が追従して伸縮するので、止水を維持することができる。
【００２８】
図４は、上記実施形態において使用される止水板の変更例を示す平面図である。なお、この変更例および以下説明する各実施形態において、図１および図３の実施形態と同一の構成要素は同一符号で表し、説明を省略する。
【００２９】
図４の例において、止水板５の両端部５ａはその厚みが基部においては中央部５ｂと同一であるが、両端５ｅに向けて漸減するテーパ状に形成されており、図３の止水板５の曲げ反撥力調節溝５ｃは設けられていない。この止水板５は、両端部５ａの曲げ反撥力はテーパの度合いによって調節される。すなわち、両端部５ａの厚みを両端５ｅに向けて小さくすれば曲げ反撥力は小さく、厚みを大きくすれば曲げ反撥力は大きい。
【００３０】
図５は、図３の止水板５の変更例を示す平面図で、この例においては、曲げ反撥力調節溝５ｃを４条形成するほかに反対側の面にも曲げ反撥力調節溝５ｆを４条形成することにより止水板５を押し込み易くしている。
【００３１】
図１３は図１〜図３の実施形態の１変更例を示すもので、止水板５の下端部および中間部の正面図である。この例においては、止水板５の中央部５ｂの下端部、および必要に応じ下端部に加えて中間部に、所望の重量の鋼板１１がボルト１２により取付けられており、この鋼板１１は錘として止水板５をパイプ３内に挿入することを容易にする機能を果たすものである。また、この変更例においては、同様に止水板５のパイプ３内への挿入を容易にするために、止水板５の下端部にテーパ１３がつけられている。
【００３２】
図６〜図８は、本発明の他の実施形態を示すもので、図６はその概略を示す平面図、図７は止水板のＣＴ形鋼に対する取付状態を拡大して示す平面図、図８は止水板をその両端部を折り曲げない状態で示す拡大平面図である。
【００３３】
この実施形態において、止水板５はその中央部５ｂの一端部（図示の例においては図中左側の部分）において上下方向下端部の1箇所または数箇所のみにボルト挿通孔５ｆ（図８）が形成されており、一方ＣＴ形鋼２の下端部の対応する箇所にもボルト挿通孔（図示せず）が形成されている。止水板５は、これら止水板５とＣＴ形鋼２のボルト挿通孔に挿通されたボルト９によりＣＴ形鋼２に固定されている。
【００３４】
ボルト９による固定箇所の止水板幅方向両側には１対の止水用突条６が止水板５の長手方向に延長するようにして設けられている。
【００３５】
この継手を施工する場合は、予め工場において、鋼管Ｂに固定されたＣＴ形鋼２の外側の面６に突条６が当接するようにして止水板５をＣＴ形鋼２の下端部にボルト止めし、パイプ３が固定された鋼管Ａを打設した後、ＣＴ形鋼２がパイプ３内に引き込まれて収容されるようにし、かつ止水板５の両端部５ａが内側に折り曲げられるようにしてＣＴ形鋼２が固定された鋼管Ｂを打設する。なお、図示の例においては、ボルト止めは止水板５の中央部５ｂの図中左側だけで行っているが、左右両側の下端部で行ってもよい。
【００３６】
止水板５の海底に面する下端部は、めくれないようにガイド板を取付けるか、挿入長さを考慮して止水板５の長さを短くする等の配慮が必要である。
【００３７】
図１に示す実施形態においては、止水板５をパイプ３内に押し込み挿入する際に止水板５の幅を狭めて挿入する動作は主として止水板５の自重により行なうので、止水板５の反撥力をあまり大きくすると止水板５の幅を狭めることが困難となるため止水板５の反撥力を比較的に小さく設計せざるを得ないが、図６〜図８の実施形態においては、止水板５を予め鋼管に固定されたＣＴ形鋼に取付けるので、止水板５をパイプ３内に押し込み挿入する動作は止水板５の自重よりもはるかに大きい鋼管の自重により強制的に行なわれるので、止水板５の反撥力を大きく設計しても止水板５の幅を容易に狭めながら止水板５を挿入することができる。したがって、この実施形態においては、止水板５の幅方向端部とパイプ３内周面との間のシールを確実に行なうことができ、また止水用突条とＣＴ形鋼の外側の面との間のシールは止水板５をＣＴ形鋼２にボルト止めすることにより充分達成されているので、止水板５の突条が設けられた面と反対側のパイプ３内の空間に充填材を充填する必要がない。ただし、止水板５による止水機能をさらに向上させるためこの空間に充填材を充填してもよい。
【００３８】
また、図６〜図８の実施形態においては、止水板５のパイプ３内への押し込みを容易にするため止水板５をその下端部のみにおいてＣＴ形鋼２にボルト止めしているので、止水板５をその全長にわたりＣＴ形鋼２にボルト止めする場合に比べてはるかに取付けの手間が省ける一方止水板５の押し込みに鋼管の自重を利用できるので止水板５の反撥力を充分大きくとることができ止水機能を高めることができる。
【００３９】
図９はこの実施形態において使用される止水板の変更例を示す平面図で、図４の例と同様に止水板５の両端部５ａの厚みを中央部５ｂの厚みよりも両端５ｅに向けて漸減するように形成したものである。曲げ反撥力はテーパの度合いを調節することにより調節することができる。
【００４０】
図１０および図１１は止水板をＣＴ形鋼に予め固定する実施形態の変更例を示すもので、図１０は止水板のＣＴ形鋼に対する取付状態を拡大して示す平面図、図１１は止水板をその両端部を折り曲げない状態で示す拡大平面図である。
【００４１】
この変更例においては、ボルト止めではなく、面フアスナー１０を使用して止水板５をＣＴ形鋼２に取付け固定している。その施工法および動作は図７〜図１０の実施形態と同様である。
【００４２】
上記止水板をＣＴ形鋼に固定する型の実施形態において、止水板をＣＴ形鋼に取付け固定する手段としては種々のものがあり、固定手段には特に限定はない。
【００４３】
上記各実施形態においては、止水板５はいずれも両端部５ａが中央部５ｂの両端から突条６が設けられた面と反対側に傾斜するように形成されているが、これに限らず、図１２に示すように、止水板５を直線状に形成することもできる。ただし両端部５ａを傾斜させた方がパイプ３内に挿入する際に折り曲げやすいので好ましい。
【００４４】
【発明の効果】
以上述べたように、本発明によれば、止水板の複数条の止水用突条をＣＴ形鋼の外側の面に当接させるとともに止水板の幅方向両端部を該突条が設けられた側と反対側に折り曲げるようにしてパイプ内に挿入することにより、折り曲げられた両端部に作用する反撥力により両端部をパイプの内周面に圧接させるとともに該複数の突条を該ＣＴ形鋼の外側の面に圧接させ、これによって止水用突条とＣＴ形鋼の外側の面との間、および止水板の幅方向両端部とパイプ内周面との間において止水が行なわれる。したがって、止水板の下端部をＣＴ形鋼にボルト止め等により固定することにより止水板の折り曲げられた両端部に作用する反撥力が充分に強くても止水板をパイプ内に挿入することが可能なように設計すれば、パイプ内にコンクリート等の充填材を充填する必要はなく、また、止水板の突条をＣＴ形鋼に対しより強く圧接するために充填材を充填する場合でも、止水板の突条が設けられた面と反対側だけのパイプ内に充填材を充填すれば足りるので、パイプのＣＴ形鋼挿入溝から生コンクリートの汚濁水が流出するおそれがなく、また充填したコンクリートに後日ヒビ割れが生じたとしても、このヒビ割れを伝って廃棄物浸出水が海側に流出するおそれもない。
【００４５】
また、本発明の１施工法においては、止水板のＣＴ形鋼の突条が形成された面と反対側の面と止水板の幅方向両端の間のパイプの内周面との間に画成される空間内にコンクリート等の充填材を充填することにより、止水板の突条がＣＴ形鋼の外側の面に対しより強く圧接され、止水機能を向上することができる。
【００４６】
また、本発明の他の施工法においては、一方の鋼管に固定されたＣＴ形鋼の外側の面に複数の突条が当接するようにして止水板をＣＴ形鋼に固定し、パイプが固定された鋼管を打設した後ＣＴ形鋼がパイプ内に収容されるようにしてＣＴ形鋼が固定された鋼管を打設することにより、止水板の突条はＣＴ形鋼の外側の面に対し強く圧接され、充分に止水機能を発揮するので、鋼管打設後にコンクリート等の充填材を充填する必要がない。したがって、隣合う鋼管が相対変位する場合に止水を損なうことなく両鋼管間の間隙の変化により大きく追随することができる。
【図面の簡単な説明】
【図１】本発明に係る鋼管矢板の継手の１実施形態を示す平面図である。
【図２】従来の鋼管矢板の継手を示す平面図である。
【図３】上記本発明の実施形態において使用する止水板の拡大平面図である。
【図４】止水板の変更例を示す平面図である。
【図５】止水板の変更例を示す平面図である。
【図６】本発明の他の実施形態を示す平面図である。
【図７】止水板のＣＴ形鋼に対する取付状態の１例を示す平面図である。
【図８】同実施形態において使用する止水板の拡大平面図である。
【図９】同実施形態において使用する止水板の変更例を示す平面図である。
【図１０】止水板のＣＴ形鋼に対する取付状態の他の例を示す平面図である。
【図１１】同変更例において使用する止水板の拡大平面図である。
【図１２】止水板の他の変更例を示す平面図である。
【図１３】止水板の他の変更例を示す正面図である。
【符号の説明】
１                鋼管矢板の継手
２                ＣＴ形鋼
３                パイプ
４                ＣＴ形鋼挿入溝
５                止水板
５ａ              止水板の両端部
６                止水用突条
７                水膨張ゴム
８                充填材
９                ボルト
１０              面フアスナー
【図１】
0003838484.tif 000002
【図２】
0003838484.tif 000003
【図３】
0003838484.tif 000004
【図４】
0003838484.tif 000005
【図５】
0003838484.tif 000006
【図６】
0003838484.tif 000007
【図７】
0003838484.tif 000008
【図８】
0003838484.tif 000009
【図９】
0003838484.tif 000010
【図１０】
0003838484.tif 000011
【図１１】
0003838484.tif 000012
【図１２】
0003838484.tif 000013
【図１３】
0003838484.tif 000014